(57)【要約】【課題】発熱を伴う構成部品を冷却しつつ得られた熱により暖められた空気を利用し、着霜の抑制と熱回収による熱効率の向上と省エネを図ることを目的としている。【解決手段】室内空間に開口した吸込口から空気を吸い込んで室内空間に開口した第一吹出口から空気を吹き出す循環ファンを備えた循環風路と、吸込口から空気を吸い込んで屋外に排出することで換気を行う換気ファンを備えた換気風路と、冷媒を圧縮する圧縮機と、循環ファンにより送風される空気と冷媒を熱交換させる第一熱交換器と、冷媒を膨張させる膨張機構と、換気ファンにより送風される空気と冷媒を熱交換させる熱回収手段を備えたものであり、熱回収手段において吸込口２から吸い込まれた空気が本体１内部で発生した熱により加熱されその加熱された空気から冷媒が吸熱し、第一熱交換器９において、室内空間を循環する空気に冷媒が放熱することによって効率的な暖房が得られる。【選択図】図１
2008185263.tif 000002
【特許請求の範囲】
【請求項１】
本体と、室内空間に開口した吸込口から空気を吸い込んで室内空間に開口した第一吹出口から空気を吹き出す循環ファンを備えた循環風路と、吸込口から空気を吸い込んで屋外に排出することで換気を行う換気ファンを備えた換気風路と、冷媒を圧縮する圧縮機と、循環ファンにより送風される空気と冷媒を熱交換させる第一熱交換器と、冷媒を膨張させる膨張機構と、換気ファンにより送風される空気と冷媒を熱交換させる熱回収手段と、前記圧縮機の次に前記第一熱交換器次に前記膨張機構次に前記熱回収手段の順に冷媒が循環するように配管接続した冷媒回路とを備え、前記熱回収手段において室内空間から吸い込まれた空気が本体の内部で発生した熱により加熱されその加熱された空気から前記冷媒が吸熱し、前記第一熱交換器において前記循環ファンにより室内空間に開口した吸込口から吸い込んで室内空間に開口した第一吹出口から吹き出す空気に前記冷媒が放熱することによって室内空間を暖房することを特徴とする換気空調装置。
【請求項２】
別の室内空間に開口した吸気口から換気風路の空気を吸い込むことを特徴とした請求項１に記載の換気空調装置。
【請求項３】
本体の内部で発生する熱の熱源としての発熱体として圧縮機を換気風路内に配したことを特徴とする請求項１または請求項２に記載の換気空調装置。
【請求項４】
圧縮機やファンを制御する制御手段を備え、本体の内部で発生する熱の熱源としての発熱体として制御手段は換気風路内に配したことを特徴とする請求項１または２に記載の換気空調装置。
【請求項５】
制御手段に放熱板を備え、発熱体として放熱板は換気風路内に配したことを特徴とする請求４に記載の換気空調装置。
【請求項６】
換気風路内に配した、発熱体の投影面積の広い面が換気風路内を流れる送風の方向に対して垂直とならないように配置したことを特徴とする請求項３〜５のいずれかに記載の換気空調装置。
【請求項７】
発熱体への送風路に開閉板を備えたことを特徴とする請求項３〜６のいずれかに記載の換気空調装置。
【請求項８】
熱回収手段への送風温度を検出する換気送風温度検出手段を備えたことを特徴とする請求項７に記載の換気空調装置。
【請求項９】
発熱体周囲の湿度を検出する湿度検出手段を備えたことを特徴とする請求項７に記載の換気空調装置。
【請求項１０】
発熱体の過負荷状態を検出する過負荷検出手段を備えたことを特徴とする請求項３〜９のいずれかに記載の換気空調装置。
【請求項１１】
過負荷検出手段は温度を検出する温度検出手段としたことを特徴とする請求項１０に記載の換気空調装置。
【請求項１２】
過負荷検出手段は電流を検出する電流検出手段としたことを特徴とする請求項１０に記載の換気空調装置。
【請求項１３】
過負荷検出手段は非接触温度検出手段としたことを特徴とする請求項１０に記載の換気空調装置。
【発明の詳細な説明】
【技術分野】
【０００１】
本発明は、ヒートポンプを利用して浴室などの換気空調を行う換気空調装置に関するものである。
【背景技術】
【０００２】
従来、この種のヒートポンプを利用した浴室などの換気空調装置としては、浴室または洗面室において使用され、冷凍サイクルの蒸発器と凝縮器と圧縮機を循環風路に備え、蒸発器で冷却除湿してから凝縮器で加熱した空気を送風することで浴室を乾燥させるものであり、圧縮機を循環風路に備えていることから、凝縮器通過後の空気は圧縮機から得られた熱を加えて吹き出し乾燥性能の向上を図っているものがある（例えば、特許文献１参照）。
【０００３】
また別のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献２参照）。
【特許文献１】特開２００３−３４３８９２号公報
【特許文献２】特開２００５−１８０７１２号公報
【発明の開示】
【発明が解決しようとする課題】
【０００４】
特許文献１に例示されるような従来の浴室空調装置では、圧縮機への送風は凝縮後の加熱空気のため圧縮機の温度が高くなり、ベアリング類の劣化を加速させ耐久性が劣るという課題があった。
【０００５】
また特許文献２に例示されるような従来の浴室空調装置では、浴室から屋外に排出される空気から熱を回収して浴室を空調するものだが、熱交換器において排出空気の全ての熱量を回収することは不可能であるため、浴室を空調した熱（冷熱）の一部が屋外に漏洩することによる熱損失が生じ、熱効率が悪いという課題と、冬場の低温環境下における熱交換器への着霜の抑制や暖房の補助としてヒータを用いることから、暖房のために電力を多く消費するという課題があった。
【０００６】
本発明は、このような従来の課題を解決するものであり、吸込み空気にて圧縮機を冷却し圧縮機の温度を低く抑えて耐久性の向上を図ることができると共に、圧縮機などの発熱体の発熱、放熱により暖められた空気を利用し、着霜の抑制と熱回収による熱効率を向上し省エネを図ることができる換気空調装置を提供することを目的としている。
【課題を解決するための手段】
【０００７】
本発明の換気空調装置は、本体と、室内空間に開口した吸込口から空気を吸い込んで室内空間に開口した第一吹出口から空気を吹き出す循環ファンを備えた循環風路と、吸込口から空気を吸い込んで屋外に排出することで換気を行う換気ファンを備えた換気風路と、冷媒を圧縮する圧縮機と、循環ファンにより送風される空気と冷媒を熱交換させる第一熱交換器と、冷媒を膨張させる膨張機構と、換気ファンにより送風される空気と冷媒を熱交換させる熱回収手段と、前記圧縮機の次に第一熱交換器次に前記膨張機構次に前記熱回収手段の順に前記冷媒が循環するように配管接続した冷媒回路とを備え、前記熱回収手段において室内空間から吸い込まれた空気が本体の内部で発生した熱により加熱されその加熱された空気から前記冷媒が吸熱し、前記第一熱交換器において前記循環ファンにより室内空間に開口した吸込口から吸い込んで室内空間に開口した第一吹出口から吹き出す空気に前記冷媒が放熱することによって室内空間を暖房することを特徴とする。
【０００８】
また、別の室内空間に開口した吸気口から換気風路の空気を吸い込むことを特徴とする。
【０００９】
また、本体の内部で発生する熱の熱源としての発熱体として圧縮機を換気風路内に配したことを特徴とする。
【００１０】
また、本体に圧縮機やファンを制御する制御手段を備え、本体の内部で発生する熱の熱源としての発熱体として制御手段は換気風路内に配したことを特徴とする。
【００１１】
また、制御手段に放熱板を備え、放熱板は換気風路内に配したことを特徴とする。
【００１２】
また、換気風路内に配した発熱体の投影面積の広い面が換気風路内を流れる送風の方向に対して垂直とならないように配置したことを特徴とする。
【００１３】
また、発熱体への送風路に開閉板を備えたことを特徴とする。
【００１４】
また、熱回収手段への送風温度を検出する換気送風温度検出手段を備えたことを特徴とする。
【００１５】
また、発熱体周囲の湿度を検出する湿度検出手段を備えたことを特徴とする。
【００１６】
また、発熱体の過負荷状態を検出する過負荷検出手段を備えたことを特徴とする。
【００１７】
また、過負荷検出手段は温度を検出する温度検出手段としたことを特徴とする。
【００１８】
また、過負荷検出手段は電流を検出する電流検出手段としたことを特徴とする。
【００１９】
また、過負荷検出手段は非接触温度検出手段としたことを特徴とする。
【発明の効果】
【００２０】
本発明によれば本体と、室内空間に開口した吸込口から空気を吸い込んで室内空間に開口した第一吹出口から空気を吹き出す循環ファンを備えた循環風路と、吸込口から空気を吸い込んで屋外に排出することで換気を行う換気ファンを備えた換気風路と、冷媒を圧縮する圧縮機と、循環ファンにより送風される空気と冷媒を熱交換させる第一熱交換器と、冷媒を膨張させる膨張機構と、換気ファンにより送風される空気と冷媒を熱交換させる熱回収手段と、前記圧縮機の次に第一熱交換器次に前記膨張機構次に前記熱回収手段の順に前記冷媒が循環するように配管接続した冷媒回路とを備えたことにより、前記熱回収手段において室内空間から吸い込まれた空気が本体の内部で発生した熱により加熱されその加熱された空気から前記冷媒が吸熱し、前記第一熱交換器において前記循環ファンにより室内空間に開口した吸込口から吸い込んで室内空間に開口した第一吹出口から吹き出す空気に前記冷媒が放熱することによって室内空間を暖房することで、本体内部で発生した熱を再利用することができ、再利用により熱効率を向上させるので省エネを図ることができるという効果のある換気空調装置を提供できる。
【００２１】
また、別の室内空間に開口した吸気口から換気風路の空気を吸い込むことにより、別の室内の熱と本体内部で発生した熱を利用することで、熱効率を向上させるので省エネを図ると共に、本体が設置された室内空間の熱を屋外へ排出することを防ぐことができるという効果のある換気空調装置を提供できる。
【００２２】
また、本体の内部で発生する熱の熱源としての発熱体として圧縮機を換気風路内に配したことにより圧縮機から発生した熱を回収し再利用することで、熱効率を向上させるので省エネを図ると共に圧縮機を吸込口から吸い込んだ空気により効率的に冷却でき、圧縮機の温度を低く抑えて耐久性の向上を図ることができる。
【００２３】
また、圧縮機の放熱により暖められた空気を熱回収手段へ送風するため、ヒータなどを用いらなくても、低温時に発生する熱回収手段への着霜を抑制することができるという効果のある換気空調装置を提供できる。
【００２４】
また、本体に圧縮機やファンを制御する制御手段を備え、本体の内部で発生する熱の熱源としての発熱体として制御手段は換気風路内に配したことにより、制御手段から発生した熱を回収し再利用することで、熱効率を向上させるので省エネを図ると共に制御手段を吸込口から吸い込んだ空気により効率的に冷却でき、部品の小型化、低コスト化を図ることができ、制御手段により暖められた空気を熱回収手段へ送風するため、低温時に発生する熱回収手段への着霜を抑制することができるという効果のある換気空調装置を提供できる。
【００２５】
また、制御手段に放熱板を備え、発熱体として放熱板は換気風路内に配したことにより、制御手段を直接風路内に配置することなく、放熱板を介して効率的に冷却することができ、放熱板から発生した熱を回収し再利用することで、熱効率を向上させるので省エネを図ることができ、放熱板により暖められた空気を熱回収手段へ送風するため、低温時に発生する熱回収手段への着霜を抑制することができるという効果のある換気空調装置を提供できる。
【００２６】
また、換気風路内に配した発熱体の投影面積の広い面が換気風路内を流れる送風の方向に対して垂直とならないように配置したことにより、通風抵抗の低減をすることができるので、換気ファンの送風負荷が低減し、省エネを図ると共に、発熱体に送風か衝突する時に発生する騒音を低減することができるという効果のある換気空調装置を提供できる。
【００２７】
また、発熱体への送風路に開閉板を備えたことにより、発熱体からの熱補充が不必要な時には熱交換サイクルの過負荷状態の促進を抑制することができ、発熱体に送風が衝突する時に発生する騒音を抑えることもできるという効果のある換気空調装置を提供できる。
【００２８】
また、熱回収手段への送風温度を検出する換気送風温度検出手段を備えたことにより、送風温度により発熱体からの熱の補充量を任意に可変し、冷凍サイクルの負荷状態を調整することができるという効果のある換気空調装置を提供できる。
【００２９】
また、発熱体周囲の湿度を検出する湿度検出手段を備えたことにより、湿度により発熱体への送風を可変することで、発熱体が高湿度環境へ置かれることを防止し、結露や錆の発生を抑制することができるという効果のある換気空調装置を提供できる。
【００３０】
また、発熱体の過負荷状態を検出する過負荷検出手段を備えたことにより、発熱体への送風量を可変し冷却できるので、部品の小型化、低コスト化を図ることができるという効果のある換気空調装置を提供できる。
【００３１】
また、過負荷検出手段は温度を検出する温度検出手段としたことにより、発熱体の温度により送風量を可変し冷却できるので、部品の小型化、低コスト化を図ると共に、発熱体の温度特性による装置の性能安定化を図ることができるという効果のある換気空調装置を提供できる。
【００３２】
また、過負荷検出手段は電流を検出する電流検出手段としたことにより、発熱体への電流供給量により送風量を可変し冷却できるので、送風の可変遅れによる発熱体の過剰発熱を抑制し、部品の小型化、低コスト化を図ると共に、発熱体の温度特性による装置の性能安定化を図ることができるという効果のある換気空調装置を提供できる。
【００３３】
また、過負荷検出手段は非接触温度検出手段としたことにより、充電部の温度検出を容易に電気絶縁した構成とすることできるという効果のある換気空調装置を提供できる。
【発明を実施するための最良の形態】
【００３４】
本発明の請求項１記載の発明は、本体と、室内空間に開口した吸込口から空気を吸い込んで室内空間に開口した第一吹出口から空気を吹き出す循環ファンを備えた循環風路と、吸込口から空気を吸い込んで屋外に排出することで換気を行う換気ファンを備えた換気風路と、冷媒を圧縮する圧縮機と、循環ファンにより送風される空気と冷媒を熱交換させる第一熱交換器と、冷媒を膨張させる膨張機構と、換気ファンにより送風される空気と冷媒を熱交換させる熱回収手段と、前記圧縮機の次に第一熱交換器次に前記膨張機構次に前記熱回収手段の順に前記冷媒が循環するように配管接続した冷媒回路とを備え、前記熱回収手段において室内空間から吸い込まれた空気が本体の内部で発生した熱により加熱されその加熱された空気から前記冷媒が吸熱し、前記第一熱交換器において前記循環ファンにより室内空間に開口した吸込口から吸い込んで室内空間に開口した第一吹出口から吹き出す空気に前記冷媒が放熱することによって室内空間を暖房するというものであり、本体内部で発生した熱を冷媒が吸熱し、本体と室内空間を循環する循環空気に冷媒が放熱することで、本体内部で発生した熱を循環空気に熱回収し、熱効率を向上することができるという作用を有する。
【００３５】
また、別の室内空間に開口した吸気口から換気風路の空気を吸い込むことを特徴としたものであり、別の室内の熱と本体内部で発生した熱を回収することができるという作用を有する。
【００３６】
また、発熱体として圧縮機を換気風路内に配したことを特徴とするものであり、圧縮機から発生した熱を回収することができるという作用を有する。
【００３７】
また、本体に圧縮機やファンを制御する制御手段を備え、発熱体として制御手段は換気風路内に配したことを特徴とするものであり、制御手段から発生した熱を回収することができるという作用を有する。
【００３８】
また、制御手段に放熱板を備え、発熱体として放熱板は換気風路内に配したことを特徴とするものであり、放熱板から発生した熱を回収することができるという作用を有する。
【００３９】
また、換気風路内に配した発熱体の投影面積の広い面が換気風路内を流れる送風の方向に対して垂直とならないように配置したことを特徴とするものであり、発熱体による通風抵抗を低減することができるという作用を有する。
【００４０】
また、発熱体への送風路に開閉板を備えたことを特徴とするものであり、発熱体への送風量を可変することで熱回収手段へ送る熱の補充量を調整することができるという作用を有する。
【００４１】
また、熱回収手段への送風温度を検出する換気送風温度検出手段を備えたことを特徴とするものであり、検出した送風温度により、発熱体への送風量を可変することで熱回収手段へ送る熱の補充量を任意に可変することができるという作用を有する。
【００４２】
また、発熱体周囲の湿度を検出する湿度検出手段を備えたことを特徴とするものであり、検出した湿度により、発熱体への送風量を可変することができるという作用を有する。
【００４３】
また、発熱体の過負荷状態を検出する過負荷検出手段を備えたことを特徴とするものであり、過負荷検出手段の検出値に応じて発熱体への送風量を可変することができるという作用を有する。
【００４４】
また、過負荷検出手段は温度を検出する温度検出手段としたことを特徴とするものであり、発熱体の温度により発熱体への送風量を可変することができるという作用を有する。
【００４５】
また、過負荷検出手段は電流を検出する電流検出手段としたことを特徴とするものであり、発熱体へ供給する電流量に応じて発熱体への送風量を可変することができるという作用を有する。
【００４６】
また、過負荷検出手段は非接触温度検出手段としたことを特徴とするものであり、発熱体の温度により発熱体への送風量を可変することができるという作用を有する。
【００４７】
以下、本発明の実施の形態について図面を参照しながら説明する。
【００４８】
（実施の形態１）
本発明の実施の形態１の換気空調装置を図１および図２を参照しながら説明する。
【００４９】
図１および図２に示すように本発明の換気空調装置は天井裏に設置され、本体１と、室内空間（例えば浴室）に開口した吸込口２から空気を吸い込んで室内空間に開口した第一吹出口３から空気を吹き出す循環ファン４を備えた循環風路５と、吸込口２から空気を吸い込んで屋外に排出することで換気を行う換気ファン６を備えた換気風路７と、冷媒を圧縮する圧縮機８と、循環ファン４により送風される空気と冷媒を熱交換させる第一熱交換器９と、冷媒を膨張させる膨張機構１０と、換気ファン６により送風される空気と冷媒を熱交換させる熱回収手段１１と、圧縮機８の次に第一熱交換器９その第一熱交換器９の次に膨張機構１０その膨張機構１０の次に熱回収手段１１の順に冷媒が循環するように配管接続した冷媒回路１２と、換気風路７内の風路を切換える開閉板１３と、圧縮機８と循環ファン４と換気ファン６と開閉板１３を制御する制御手段１４を備え、本体の内部で発生する熱の熱源としての発熱体として圧縮機８と制御手段１４は換気風路７内に配し、過負荷状態を検出する過負荷検出手段は、制御手段１４の温度を検出する温度検出手段１５とし、換気風路７内の湿度を検出する湿度検出手段１６を備えた構成とする。
【００５０】
制御手段１４としては、圧縮機８と循環ファン４と換気ファン６と開閉板１３を制御できればよく、例えば、リレーを用いた回路構成、プリント配線板、制御基板などがある。
【００５１】
また、熱回収手段１１は冷媒と空気との間で熱交換できれば良く、例えば、縦横に配列した配管とフィンを用いた構成で、材料は熱伝導の良い銅やアルミニウムを主原料としたものがある。
【００５２】
また、温度検出手段は温度の検知ができれば良く、例えば、正特性サーミスタ、負特性サーミスタがある。
【００５３】
また、湿度検出手段は湿度の検知ができれば良く、例えば、高分子膜の水分の吸収・放出に伴う誘電率変化から雰囲気の相対湿度を検出する高分子膜湿度センサや、水蒸気の吸着しやすい多孔質セラミックを用いて、乾湿材がセラミック焼結体で構成されたセラミック湿度センサや、塩化リチウムを利用した電解質湿度センサなどがある。
【００５４】
上記構成において、換気空調装置が稼動状態のときは制御手段１４からの信号により、圧縮機８と循環ファン４と換気ファン６が作動することで、冷媒が圧縮機８、第一熱交換器９、膨張機構１０、熱回収手段１１という順に流れ、熱回収手段１１において、吸込口２から吸い込まれ屋外に排出する空気から冷媒が吸熱し、第一熱交換器９において、室内空間を循環する空気に冷媒が放熱することによって室内空間を暖房することとなる。
【００５５】
このとき、図１（ａ）の開閉板１３が閉の状態にある場合、吸込口２から吸い込まれた空気は圧縮機８と制御手段１４を通ることなく熱回収手段１１を介して屋外へ排出される。
【００５６】
また、図１（ｂ）の開閉板１３が開の状態にある場合は、吸込口２から吸い込まれた空気は圧縮機８、制御手段１４を通ることで暖められるので、熱回収手段１１にて吸熱する熱は、吸込口２から吸い込まれた空気の熱に圧縮機８、制御手段１４から発生した熱を含む本体１の内部で発生した熱を加え吸熱することができ、熱効率を向上し省エネを図ると共に圧縮機８を吸込口２から吸い込んだ空気により効率的に冷却でき、圧縮機８の温度を低く抑えて耐久性の向上を図ることができる。
【００５７】
また、同時に制御手段１４も冷却することができるので、制御手段１４の小型化、低コスト化を図ることができる。
【００５８】
また、圧縮機８と制御手段１４により暖められた空気を熱回収手段１１へ送風するため、ヒータなどを用いらなくても、低温時に発生する熱回収手段１１への着霜を抑制することができる。
【００５９】
また、開閉板１３の開度により圧縮機８と制御手段１４へと連通する風路への送風量を可変することができ、室内空間の温度が高く（例えば３０℃以上）圧縮機８と制御手段１４からの熱補充が不必要な時には、開閉板１３の開度を閉方向に調整することで熱交換サイクルの過負荷状態の促進を防止することができ、発熱体に送風か衝突する時に発生する騒音を抑えることもできる。
【００６０】
また、制御手段１４は、図２（ａ）に図示したプリント配線板を用いた構成とし、図２（ｂ）に示すように投影面積の広い面が換気風路７内を流れる送風の方向に対して垂直とならないよう水平に配しているので、通風抵抗を減らすことで換気ファン６の負荷電流を低減し、省エネを図ると共に、制御手段１４に送風か衝突する時に発生する騒音を低減することができる。
【００６１】
また、制御手段１４は一例としてプリント配線板を用いた構成として説明したが、部品個別に配して構成しても良く、このときは各構成部品の投影面積の広い面が換気風路７内を流れる送風の方向に対して垂直とならないように配することで同様の作用・効果が得られる。
【００６２】
また、湿度検出手段１６により検出した値が任意の範囲より外れた場合（例えば相対湿度が８５％以上となった場合）は、制御手段１４により開閉板１３を閉方向に制御し、制御手段１４と圧縮機８への送風量の可変、もしくは送風の停止をすることができるので、制御手段１４と圧縮機８が高湿度環境へ置かれることを防止し、結露や錆の発生を抑制することができる。
【００６３】
また、温度検出手段１５により検出した値が任意の範囲より外れた場合（例えば、８０℃以上となった場合）は、制御手段１４により開閉板１３を開方向に制御し、制御手段１４と圧縮機８への送風量を可変し冷却できるので、制御手段１４の部品の小型化、低コスト化を図ると共に、制御手段１４の温度を一定にすることで制御手段１４に使用した電子部品の温度特性公差を低減することができ、装置の性能を安定的に得ることができる。
【００６４】
（実施の形態２）
本発明の実施の形態２の換気空調装置を図３および図４を参照しながら説明する。
【００６５】
なお、実施の形態２の説明において既に実施の形態１で説明した同一部品については同一符号を付与し詳細な説明は省略する。
【００６６】
図３および図４に示すように、本体１が設置された室内空間以外の別の室内空間（例えば、トイレや脱衣室やリビングなど）から空気を吸い込む吸気口１７を設けた換気風路１８と、過負荷検出手段は制御手段１４に供給される電流を検出する電流検出手段１９とし、放熱をする放熱板２０を制御手段１４に備え、制御手段１４は換気風路１８以外に配しつつ、発熱体として放熱板２０は換気風路１８内に張り出した構成とする。
【００６７】
また、電流検出手段１９は電流量の検知ができれば良く、例えば、抵抗器の両端に発生する電圧を検出するものや、カレントトランスを用いたものなどがある。
【００６８】
上記構成において、換気空調装置が稼動状態のときは、換気ファン６の作用により、別の室内空間より吸い込まれた空気が吸気口１７より換気風路１８に吸い込まれ、放熱板２０を通ることで暖められるので、熱回収手段１１にて吸熱する熱は、吸気口１７から吸い込まれた空気の熱に放熱板２０から発生した熱を含む本体１の内部で発生した熱を加え吸熱することができ、熱効率を向上させるので省エネを図ると共に、本体１が設置された室内空間の熱を屋外へ排出することを防ぐことができる。
【００６９】
また、制御手段１４を換気風路１８内に配置することなく、放熱板２０を介して効率的に冷却することができるので、制御手段１４への埃の体積を考慮しなくても良くなり、放熱板２０により暖められた空気を熱回収手段１１へ送風するため、ヒータなどを用いらなくても、低温時に発生する熱回収手段１１への着霜を抑制することができる。
【００７０】
また、放熱板２０は、図４（ａ）に図示したフィン形状を用いた構成とし、図４（ｂ）に示すように投影面積の広い面が換気風路１８内を流れる送風の方向に対して垂直とならないよう水平に配しているので、通風抵抗を減らすことで換気ファン６の負荷電流を低減し、省エネを図ると共に、放熱板２０に送風か衝突する時に発生する騒音を低減することができる。
【００７１】
また、電流検出手段１９により検出した値が任意の範囲より外れた場合（例えば、装置の定格電流以上となった場合）は、制御手段１４により換気ファン６の回転数を上昇させ、放熱板２０への送風量を可変し冷却できるので、制御手段１４の部品の小型化、低コスト化を図ると共に、制御手段１４の温度を一定にすることで制御手段１４に使用した電子部品の温度特性公差を低減することができ、装置の性能を安定的に得ることができる。
【００７２】
（実施の形態３）
本発明の実施の形態３の換気空調装置を図５を参照しながら説明する。図５は、本発明の実施の形態３記載の換気空調装置を示す概略断面図であり、図５（ａ）は同開閉板が閉状態の換気空調装置を示す概略断面図であり、図５（ｂ）は同開閉板が開状態の換気空調装置を示す概略断面図である。
【００７３】
なお、実施の形態３の説明において既に実施の形態１、実施の形態２で説明した同一部品については同一符号を付与し詳細な説明は省略する。
【００７４】
図５に示すように、過負荷検出手段は非接触温度検出手段２１として、圧縮機８の充電部温度を検出できるように配し、熱回収手段への送風温度を検出する換気送風温度検出手段２２を備えた構成とする。
【００７５】
また、非接触温度検出手段は  温度の検出箇所と接触することなく温度の検知ができれば良く、例えば、赤外線を用いたものなどがある。
【００７６】
また、換気送風温度検出手段は  の検知ができれば良く、例えば、正特性サーミスタ、負特性サーミスタなどがある。
【００７７】
上記構成において、非接触温度検出手段２１により検出した値が任意の範囲より外れた場合（例えば８０℃以上となった場合）は、制御手段１４により換気ファン６の回転数を上昇させ、圧縮機８への送風量を可変し冷却できるので、充電部の温度検出を容易に電気絶縁した構成にすることできる。
【００７８】
また、換気送風温度検出手段２２により検出した値が任意の範囲より外れた場合（例えば３０℃以上となった場合）は、制御手段１４により開閉板１３を閉方向に制御し、制御手段１４と圧縮機８への送風量の可変、もしくは送風の停止をすることができ、熱回収手段１１へ送る熱の補充量を任意に可変することができるので、冷凍サイクルの過負荷状態を低減しつつ負荷状態を調整することができる。
【産業上の利用可能性】
【００７９】
本発明の換気空調装置は、発熱を伴う構成部品を冷却しつつ得られた熱により暖められた空気を利用し、着霜の抑制と熱回収による熱効率の向上をし省エネを図ることを特徴としたものであり、浴室の換気空調のみならず、リビング、寝室、キッチンあるいは洗面所等の換気空調装置などにも適用することができる。
【図面の簡単な説明】
【００８０】
【図１】本発明の実施の形態１記載の換気空調装置を示す概略断面図（（ａ）同開閉板が閉状態の換気空調装置を示す概略断面図、（ｂ）同開閉板が開状態の換気空調装置を示す概略断面図）
【図２】同制御手段の一例と実装状態を示す図（（ａ）同プリント配線板を用いた構成を示す図、（ｂ）同投影面積の広い面が換気風路内を流れる送風の方向に対して垂直とならないよう水平に配していることを示す図）
【図３】本発明の実施の形態２記載の換気空調装置を示す概略断面図
【図４】同放熱板の一例と実装状態を示す図（（ａ）同フィン形状を用いた構成を示す図、（ｂ）同投影面積の広い面が換気風路内を流れる送風の方向に対して垂直とならないよう水平に配していることを示す図）
【図５】本発明の実施の形態３記載の換気空調装置を示す概略断面図（（ａ）同開閉板が閉状態の換気空調装置を示す概略断面図、（ｂ）同開閉板が開状態の換気空調装置を示す概略断面図）
【符号の説明】
【００８１】
１    本体
２    吸込口
３    第一吹出口
４    循環ファン
５    循環風路
６    換気ファン
７    換気風路
８    圧縮機
９    第一熱交換器
１０  膨張機構
１１  熱回収手段
１２  冷媒回路
１３  開閉板
１４  制御手段
１５  温度検出手段
１６  湿度検出手段
１７  吸気口
１８  換気風路
１９  電流検出手段
２０  放熱板
２１  非接触温度検出手段
２２  換気送風温度検出手段
【図１】
2008185263.tif 000003
【図２】
2008185263.tif 000004
【図３】
2008185263.tif 000005
【図４】
2008185263.tif 000006
【図５】
2008185263.tif 000007